(57)【要約】【課題】  印字媒体の用途を広げる熱発色式両面印字装置を提供する。【解決手段】  第一印字モードにおいては、印字媒体２１の搬送を搬送手段２８により行いつつ、イメージスキャナー２４を用いて印字対象２２の読み込みを行い、さらには、第一サーマルヘッド２６を用いてイメージスキャナー２４により読み込んだ複写対象２２の読み込みデータに基づく複写を印字媒体２１の一方の面２１ａに行うとともに、第二サーマルヘッド２７を用いて読み込みデータに基づく複写を印字媒体２１の他方の面２１ｂに行う構成とする。一方、第二印字モードにおいては、印字媒体２１の搬送を搬送手段２８により行いつつ、データ入力手段２５を介して入力された入力データに基づく印字を印字媒体２１の一方の面２１ａに行うとともに、第二サーマルヘッド２７を用いて入力データに基づく印字を印字媒体２１の他方の面２１ｂに行う構成とする。【選択図】    図１
2005161666.tif 000002
【特許請求の範囲】
【請求項１】
熱発色式印字用の紙やフィルムやラベル（以下、印字媒体と略記する）に存する複写対象を読み込むイメージスキャナーと、複数個の発熱用抵抗体を有し前記印字媒体の一方の面に前記イメージスキャナーにより読み込んだ前記複写対象の読み込みデータに基づく複写を行う第一サーマルヘッドと、該第一サーマルヘッドと同じく複数個の発熱用抵抗体を有し前記印字媒体の他方の面に前記読み込みデータに基づく複写を行う第二サーマルヘッドと、前記印字媒体を搬送する搬送手段とを備えて構成した
ことを特徴とする熱発色式両面印字装置。
【請求項２】
熱発色式印字用の紙やフィルムやラベル（以下、印字媒体と略記する）に存する複写対象を読み込んで印字を行う第一印字モード、装置に入力された入力データに基づいて印字を行う第二印字モードのいずれかに切り替え可能なスイッチ手段と、前記複写対象を読み込むイメージスキャナーと、前記入力のためのデータ入力手段と、複数個の発熱用抵抗体を有する第一サーマルヘッド及び第二サーマルヘッドと、前記印字媒体を搬送する搬送手段とを備え、
前記第一印字モードにおいては、前記印字媒体の搬送を前記搬送手段により行いつつ、前記イメージスキャナーを用いて前記印字対象の読み込みを行い、さらには、前記第一サーマルヘッドを用いて前記イメージスキャナーにより読み込んだ前記複写対象の読み込みデータに基づく複写を前記印字媒体の一方の面に行うとともに、前記第二サーマルヘッドを用いて前記読み込みデータに基づく複写を前記印字媒体の他方の面に行う構成とし、
前記第二印字モードにおいては、前記印字媒体の搬送を前記搬送手段により行いつつ、前記データ入力手段を介して入力された前記入力データに基づく印字を前記印字媒体の一方の面に行うとともに、前記第二サーマルヘッドを用いて前記入力データに基づく印字を前記印字媒体の他方の面に行う構成とした
ことを特徴とする熱発色式両面印字装置。
【請求項３】
請求項１又は請求項２に記載の熱発色式両面印字装置において、
前記第一サーマルヘッドと前記第二サーマルヘッドとの間に前記イメージスキャナーを配置した
ことを特徴とする熱発色式両面印字装置。
【請求項４】
請求項１ないし請求項３いずれか記載の熱発色式両面印字装置において、
前記印字媒体に予め設けられた情報を読み込むリーダーと、該リーダーにより読み込んだ前記情報に係るデータを外部出力するためのデータ出力手段とを更に備えて構成した
ことを特徴とする熱発色式両面印字装置。
【発明の詳細な説明】
【技術分野】
【０００１】
本発明は、熱発色式印字用の紙やフィルムやラベルの両面に印字を行う熱発色式両面印字装置に関する。
【背景技術】
【０００２】
図１３において、従来より知られる熱発色式両面印字装置は、第一印字機構１と第二印字機構２とシートカッター３と用紙センサー４とを備えて構成されている（例えば特許文献１参照。）。第一印字機構１は、サーマルヘッド５を有しており、熱発色式印字用連続用紙Ｐの下面（裏面）側に印字をすることができるように構成されている。第二印字機構２は、サーマルヘッド６を有しており、熱発色式印字用連続用紙Ｐの上面（表面）側に印字をすることができるように構成されている。シートカッター３は、第一印字機構１と第二印字機構２との間に配置されており、第一印字機構１で下面（裏面）側に印字された熱発色式印字用連続用紙Ｐを切断して連続用紙から切り離し、別葉Ｐ１とすることができるように構成されている。用紙センサー４は、第一印字機構１の下流に配置されており、熱発色式印字用連続用紙Ｐの先端を検知するために設けられている。尚、引用符号７は第一プラテンローラー、８は第二プラテンローラー、９は搬送駆動ローラー対、１０は先端検知用の第二用紙センサー、１２は印字ヘッドアップレバーを示している。
【特許文献１】特開平６−２６２７８５号公報  （第３頁、第１図）
【発明の開示】
【発明が解決しようとする課題】
【０００３】
ところで、上記従来技術にあっては、装置に供給される前の熱発色式印字用紙（印字媒体）に予め例えば手書きで文字が書き込まれているとすると、装置に用紙を供給した後にその手書き文字を読みとって、熱発色式印字用紙の所定位置にその手書き文字を複写することができない構成になっている。従って、印字後の印字媒体（上記別葉Ｐ１に相当）の用途が限られてしまう、言い換えれば特定用途のみの印字媒体しか使えないという問題点を有している。
【０００４】
本発明は、上述した事情に鑑みてなされるもので、印字媒体の用途を広げる熱発色式両面印字装置を提供することを課題とする。
【課題を解決するための手段】
【０００５】
上記課題を解決するためなされた請求項１記載の本発明の熱発色式両面印字装置は、図１の基本構成図に示されるように、熱発色式印字用の紙やフィルムやラベル（以下、印字媒体２１と略記する）に存する複写対象２２を読み込むイメージスキャナー２４と、複数個の発熱用抵抗体を有し前記印字媒体２１の一方の面２１ａに前記イメージスキャナー２４により読み込んだ前記複写対象２２の読み込みデータに基づく複写を行う第一サーマルヘッド２６と、該第一サーマルヘッド２６と同じく複数個の発熱用抵抗体を有し前記印字媒体２１の他方の面２１ｂに前記読み込みデータに基づく複写を行う第二サーマルヘッド２７と、前記印字媒体２１を搬送する搬送手段２８とを備えて構成したことを特徴としている。
【０００６】
このような特徴を有する本発明によれば、印字媒体２１に存する例えば手書き部分の複写を印字媒体２１に行える装置になる。すなわち、熱発色式両面印字装置は、印字媒体２１が搬送手段２８により搬送され、搬送された印字媒体２１の複写対象２２、すなわち例えば手書き部分がイメージスキャナー２４により読み込まれる。複写対象２２は、イメージスキャナー２４により読み込まれてデータ化される。その後、データ化された読み込みデータに基づいて印字媒体２１の一方の面２１ａに複写が行われる。一方の面２１ａへの複写（印字可能エリア２１ａ−１への複写）は、第一サーマルヘッド２６にて行われる。また、読み込みデータに基づいて印字媒体２１の他方の面２１ｂにも複写が行われる。他方の面２１ｂへの複写（印字可能エリア２１ｂ−１、２１ｂ−２への複写）は、第二サーマルヘッド２７にて行われる。
【０００７】
上記課題を解決するためなされた請求項２記載の本発明の熱発色式両面印字装置は、図２の基本構成図に示されるように、熱発色式印字用の紙やフィルムやラベル（以下、印字媒体２１と略記する）に存する複写対象２２を読み込んで印字を行う第一印字モード、装置に入力された入力データに基づいて印字を行う第二印字モードのいずれかに切り替え可能なスイッチ手段２３と、前記複写対象２２を読み込むイメージスキャナー２４と、前記入力のためのデータ入力手段２５と、複数個の発熱用抵抗体を有する第一サーマルヘッド２６及び第二サーマルヘッド２７と、前記印字媒体２１を搬送する搬送手段２８とを備え、前記第一印字モードにおいては、前記印字媒体２１の搬送を前記搬送手段２８により行いつつ、前記イメージスキャナー２４を用いて前記印字対象２２の読み込みを行い、さらには、前記第一サーマルヘッド２６を用いて前記イメージスキャナー２４により読み込んだ前記複写対象２２の読み込みデータに基づく複写を前記印字媒体２１の一方の面２１ａに行うとともに、前記第二サーマルヘッド２７を用いて前記読み込みデータに基づく複写を前記印字媒体２１の他方の面２１ｂに行う構成とし、前記第二印字モードにおいては、前記印字媒体２１の搬送を前記搬送手段２８により行いつつ、前記データ入力手段２５を介して入力された前記入力データに基づく印字を前記印字媒体２１の一方の面２１ａに行うとともに、前記第二サーマルヘッド２７を用いて前記入力データに基づく印字を前記印字媒体２１の他方の面２１ｂに行う構成としたことを特徴としている。
【０００８】
このような特徴を有する本発明によれば、例えば手書き部分の複写を行う第一印字モードと、装置に入力された入力データに基づいて印字を行う第二印字モードの、少なくとも二つのモードが備えられた熱発色式両面印字装置になる。熱発色式両面印字装置は、印字媒体２１への印字方法が選択可能な装置であり、第一印字モード及び第二印字モードとも印字媒体２１が搬送手段２８により搬送され、第一印字モードにおいては、搬送された印字媒体２１の複写対象２２、すなわち例えば手書き部分がイメージスキャナー２４により読み込まれる。複写対象２２は、イメージスキャナー２４により読み込まれてデータ化される。その後、データ化された読み込みデータに基づいて印字媒体２１の一方の面２１ａに複写が行われる。一方の面２１ａへの複写（印字可能エリア２１ａ−１への複写）は、第一サーマルヘッド２６にて行われる。また、第一印字モードにおいては、読み込みデータに基づいて印字媒体２１の他方の面２１ｂにも複写が行われる。他方の面２１ｂへの複写（印字可能エリア２１ｂ−１、２１ｂ−２への複写）は、第二サーマルヘッド２７にて行われる。一方、第二印字モードにおいては、データ入力手段２５を介して入力された入力データに基づいて印字媒体２１の一方の面２１ａに印字が行われる。一方の面２１ａへの印字は、第一サーマルヘッド２６にて行われる。また、第二印字モードにおいては、入力データに基づいて印字媒体２１の他方の面２１ｂにも印字が行われる。他方の面２１ｂへの印字は、第二サーマルヘッド２７にて行われる。尚、第一印字モードや第二印字モードではない他のモードの例として、これら二つのモードの特徴を兼ね備えるモードや、片面のみの印字や複写に対応するモード等が挙げられるものとする。
【０００９】
請求項３記載の本発明の熱発色式両面印字装置は、請求項１又は請求項２に記載の熱発色式両面印字装置において、前記第一サーマルヘッド２６と前記第二サーマルヘッド２７との間に前記イメージスキャナー２４を配置したことを特徴としている（図１及び図２の基本構成図参照）。
【００１０】
このような特徴を有する本発明によれば、印字媒体２１の複写対象２２、すなわち例えば手書き部分が搬送方向の先端側にある場合、その手書き部分を読み込みながら印字媒体２１の一方の面２１ａに複写を行うことが可能になる。また、イメージスキャナー２４を通過した印字媒体２１の他方の面２１ｂにもすぐに複写を行うことが可能になる。
【００１１】
請求項４記載の本発明の熱発色式両面印字装置は、請求項１ないし請求項３いずれか記載の熱発色式両面印字装置において、前記印字媒体２１に予め設けられた情報２９を読み込むリーダー３０と、該リーダー３０により読み込んだ前記情報２９に係るデータを外部出力するためのデータ出力手段３１とを更に備えて構成したことを特徴としている（図１及び図２の基本構成図参照）。
【００１２】
このような特徴を有する本発明によれば、印字媒体２１に予め設けられた情報２９、例えばＩＤタグ情報やバーコード情報が読み込まれてデータ化され、その情報２９に係るデータが外部に出力可能となるように構成される。付加価値のある装置として構成される。
【発明の効果】
【００１３】
請求項１に記載された本発明によれば、印字媒体に例えば手書き部分の複写をすることができる。従って、従来にない新しい装置を提供することができるという効果を奏する。また、印字媒体の用途を従来よりも格段に広げることができるという効果を奏する。
【００１４】
請求項２に記載された本発明によれば、印字媒体に例えば手書き部分の複写をすることができるとともに、装置に入力された入力データに基づいて印字媒体に印字をすることができる。従って、従来にない新しい装置を提供することができるという効果を奏する。また、印字媒体の用途を従来よりも格段に広げることができるという効果を奏する。
【００１５】
請求項３に記載された本発明によれば、効率のよい複写をすることができるという効果を奏する。
【００１６】
請求項４に記載された本発明によれば、付加価値のある装置として提供することができるという効果を奏する。
【発明を実施するための最良の形態】
【００１７】
以下、図面を参照しながら説明する。
図３は本発明の熱発色式両面印字装置の一実施の形態を示す外観斜視図である。また、図４は熱発色式両面印字装置の側面図、図５は熱発色式両面印字装置の構成図、図６はＲＦ／ＩＤリーダーの配置説明図、図７はＩｒＤＡ受光部の配置説明図、図８はラベル挿入時の説明図、図９はラベル取り出し時の説明図である。
【００１８】
図３ないし図９において、引用符号４１は本発明の熱発色式両面印字装置を示している。その熱発色式両面印字装置４１は、装置本体の外側を構成する筐体４２の所定位置にセットした熱発色式印字用の紙やフィルムやラベル（印字媒体であり、以下ラベル４３を一例にして説明する）の両面に印字を行うことが可能な装置であって、ラベル４３の所定エリアに例えばラベル４３の手書き部分の複写（コピー印字）を行う第一印字モードと、装置本体に入力された入力データに基づいてラベル４３の所定エリアに印字を行う第二印字モードの、少なくとも二つのモードを有するように構成されている。
【００１９】
具体的に構成を説明すると、熱発色式両面印字装置４１は、所望のモードへの切り替えが可能なスイッチ手段４４と、両面印字を行うための第一印字機構４５及び第二印字機構４６と、ラベル４３を搬送するための搬送手段４７と、ラベル４３の手書き部分（複写対象）を読みとるためのイメージスキャナー４８と、印字用のデータを装置本体に入力するためのデータ入力手段４９と、装置本体の制御を行うための制御基板５０と、その制御基板５０等に電源を供給するための電源ユニット５１と、ラベル４３に予め設けられた情報を読み込むことが可能なＲＦ／ＩＤリーダー５２と、外部へのデータ出力が可能なデータ出力手段５３とを備えて構成されている。以下、各構成について詳細に説明する。
【００２０】
上記筐体４２は、その外形形状が平面視矩形状かつ側面視Ｌ字形状の図示のような形状に形成されている。このような形状となる筐体４２の上面側には、第一印字機構４５及び第二印字機構４６等を収納するための印字機構収納部５４と、ラベル４３をセットして印字機構収納部５４へ挿入するためのラベル挿入テーブル５５とが形成されている。印字機構収納部５４とラベル挿入テーブル５５は、筐体４２の長手方向に並んで配置されている。印字機構収納部５４とラベル挿入テーブル５５の境界部分には、ラベル挿入口５６が形成されている。また、印字機構収納部５４の、ラベル挿入口５６の反対側となる位置には、ラベル取り出し口５７が形成されている。ラベル挿入テーブル５５にセットされたラベル４３は、ラベル挿入口５６を介して印字機構収納部５４内に挿入され、第一印字機構４５及び第二印字機構４６等を通過して印字や複写が表裏面に行われた後に、ラベル取り出し口５７から取り出されるようになっている。
【００２１】
ラベル挿入テーブル５５は、ラベル４３の大きさに合わせて形成されている。また、ラベル挿入テーブル５５は、駆動モータ５８によって駆動されるように構成されている。すなわち、ラベル挿入テーブル５５は、ラベル４３を印字機構収納部５４内に挿入することができるように構成されている。筐体４２の上面側であってラベル挿入テーブル５５の近傍には、スイッチ手段４４が設けられている。そのスイッチ手段４４の説明については後述する。印字機構収納部５４は、第一印字機構４５及び第二印字機構４６等を収納するための部分であって、ラベル挿入テーブル５５よりも上方へ突出するように形成されている。筐体４２の前面は、ラベル挿入テーブル５５側に設けられている。また、筐体４２の後面は、印字機構収納部５４側に設けられている。
【００２２】
筐体４２の二つの側面のうち一方の側面には、二つの外部接続部（コネクタ）とＤＣ電源プラグ５９とが設けられている。上記外部接続部は、ＲＳ２３２Ｃ用の接続部６０とＵＳＢ用の接続部６１であって、ＤＣ電源プラグ５９と共に横一列に並んで配置されている。接続部６０及び６１は、制御基板５０に接続されている。また、ＤＣ電源プラグ５９は、電源ユニット５１に接続されている。筐体４２の他方の側面には、ＩｒＤＡ受光部６２が設けられている。そのＩｒＤＡ受光部６２は、制御基板５０に接続されている。ラベル挿入テーブル５５の下方には、ＲＦ／ＩＤリーダー５２が配置されている。ＲＦ／ＩＤリーダー５２の説明については後述する。
【００２３】
上記スイッチ手段４４は、本形態において四つの操作スイッチにより構成されている。そのうちの二つは、第一印字モードを選択するためのスイッチと第二印字モードを選択するためのスイッチに割り当てられている。残りの二つは、例えばスタートスイッチやストップスイッチ、或いは、第一印字モード及び第二印字モードの両方の機能を兼ね備える別のモードのスイッチ、片面のみの印字に対応するためのスイッチなど、適宜のスイッチが割り当てられている。スイッチ手段４４は、制御基板５０に接続されている。尚、スイッチ手段４４の操作スイッチの数や配置は、本形態に限られないものとする。
【００２４】
上記第一印字機構４５は、ラベル４３の一方の面（表面）用の印字機構であり、印字機構収納部５４内のラベル挿入口５６側に配置されている。第一印字機構４５は、第一サーマルヘッド６３を備えて構成されている。その第一サーマルヘッド６３は、図示しない複数個の発熱用抵抗体を有している。また、第一サーマルヘッド６３は、図示しない自動式印字ヘッドアップレバーによって印字動作可能に取り付けられている。このような第一サーマルヘッド６３は、制御基板５０の後述する主制御部６４により制御されている。
【００２５】
上記第二印字機構４６は、ラベル４３の他方の面（裏面）用の印字機構であり、印字機構収納部５４内のラベル取り出し口５７側に配置されている。第二印字機構４６は、第二サーマルヘッド６５を備えて構成されている。その第二サーマルヘッド６５は、第一サーマルヘッド６３と同様、図示しない複数個の発熱用抵抗体を有している。また、第二サーマルヘッド６５は、図示しない自動式印字ヘッドアップレバーによって印字動作可能に取り付けられている。このような第二サーマルヘッド６５は、第一サーマルヘッド６３と同様、制御基板５０の後述する主制御部６４により制御されている。
【００２６】
上記搬送手段４７は、上記駆動モータ５８によってラベル挿入テーブル５５を駆動する部分と、第一プラテンローラー６６及び第二プラテンローラー６７とを備えて構成されている。第一プラテンローラー６６と第二プラテンローラー６７は、それぞれ正逆回転可能であり、第一プラテンローラー６６は、第一サーマルヘッド６３の下方に取り付けられている。また、第二プラテンローラー６７は、第二サーマルヘッド６５の上方に取り付けられている。第一プラテンローラー６６と第二プラテンローラー６７は、その回転が制御基板５０の後述する主制御部６４により制御されている。
【００２７】
搬送手段４７によってラベル４３は、ラベル挿入テーブル５５からラベル挿入口５６を介してラベル取り出し口５７まで搬送されるようになっている。尚、第一プラテンローラー６６及び第二プラテンローラー６７の具体的な駆動機構については既知であることから説明を省略する。
【００２８】
上記イメージスキャナー４８は、ラベル４３の手書き部分、すなわち複写対象を読み込みするための装置であって、制御基板５０の後述する主制御部６４により制御されている。このようなイメージスキャナー４８は、特に限定しないが、本形態において、第一印字機構４５と第二印字機構４６の間、すなわち第一サーマルヘッド６３と第二サーマルヘッド６５の間に配置されている。イメージスキャナー４８により読み込まれた複写対象は、読み込みデータとしてデータ化された後、主制御部６４の図示しない記憶部に一時的に格納されるようになっている。第一印字機構４５及び第二印字機構４６は、上記読み込みデータに基づく複写や印字を行うようになっている。
【００２９】
上記データ入力手段４９は、外部から送信された（上位装置から送信された）印字用のデータを制御基板５０の後述する主制御部６４に入力するための手段であって、本形態においては、筐体４２の側面のＩｒＤＡ受光部（赤外線受光部）６２を含んで構成されている。本形態においては、既知のＩｒＤＡ受光部６２を用いており、その説明を省略する。尚、ＩｒＤＡ受光部６２に限らず、筐体４２の側面の接続部６０や６１を介して上位装置から印字用のデータを入力するようにしてもよいものとする。
【００３０】
上記制御基板５０は、各種の制御を行う主制御部６４を実装しており、ラベル挿入テーブル５５の下方に配置されている。主制御部６４は、既知のマイクロコンピュータであって、ＣＰＵ、ＲＯＭ、ＲＡＭ、ＥＥＰＲＯＭ等を有している。制御基板５０や主制御部６４には、上述の如く、電源ユニット５１、接続部６０及び６１、ＩｒＤＡ受光部６２、スイッチ手段４４、第一サーマルヘッド６３及び第二サーマルヘッド６５、第一プラテンローラー６６及び第二プラテンローラー６７、駆動モータ５８、イメージスキャナー４８が接続されている。また、制御基板５０や主制御部６４には、表示灯やブザー等の表示警報手段６８、ＲＦ／ＩＤリーダー５２、各種センサ６９等が接続されている。
【００３１】
上記ＲＦ／ＩＤリーダー５２は、ラベル４３に予め設けられた情報、例えばＩＤタグ情報やバーコード情報を読み込むための手段であって、読み込まれた情報のデータは、主制御部６４から接続部６０や６１を介して外部へ出力されるようになっている。尚、これらの構成は、上記データ出力手段５３に相当するものとする。ＲＦ／ＩＤリーダー５２は、積層されるような状態で制御基板５０に実装されている。ラベル４３にＩＤタグを設けた場合には、ＲＦ／ＩＤリーダー５２を、情報の読み込みの他に、所望の情報を書き込むことが可能な構成にしてもよいものとする。
【００３２】
次に、図１０を参照しながら印字媒体の一例として挙げたラベル４３について説明する。図１０はラベルの構成図である。
【００３３】
図１０において、ラベル４３は、例えば宅配等の配送用の伝票であって、貼り付けの機能を有する台紙７０を備えている。また、ラベル４３は、台紙７０の表面であって左半分に疑似接着される手書き記入部用ラベル紙７１と、台紙７０の表面であって右半分に疑似接着される顧客控用ラベル紙７２と、台紙７０の裏面であって手書き記入部用ラベル紙７１の反対側に位置し台紙７０に疑似接着される業者控用ラベル紙７３と、台紙７０の裏面であって顧客控用ラベル紙７２の反対側に位置し台紙７０に疑似接着される受取人控用ラベル紙７４とを備えている。手書き記入部用ラベル紙７１には、顧客が手書きで記入するための手書き記入部が設けられている。また、顧客控用ラベル紙７２、業者控用ラベル紙７３、及び受取人控用ラベル紙７４には、上記手書き文字の複写が可能な複写エリア（印字エリア）が形成されている。
【００３４】
尚、手書き記入部用ラベル紙７１の手書き記入部に記入された手書き文字は、本発明の熱発色式両面印字装置４１の上記複写対象に相当する部分であるものとする。上記のようなラベル４３の構成は一例であるものとする。ラベル４３は、配送用の伝票の他に、物品管理用の伝票（ラベル）としても使用することが可能であるものとする（物品管理用伝票の場合の説明は省略する）。
【００３５】
続いて、上記各構成に基づき本発明の熱発色式両面印字装置４１の作用を説明する。本発明の熱発色式両面印字装置４１は、第一印字モード又は第二印字モードを選択することが可能な装置であることから、印字前の作用を説明した後に各モード毎の作用をそれぞれ説明する。
【００３６】
オペレータが熱発色式両面印字装置４１に対して電源を投入すると、装置本体の初期化設定が開始され、熱発色式両面印字装置４１は各モード毎の印字が可能な状態になる。オペレータは、ラベル４３をラベル挿入テーブル５５の所定位置にセットするとともに、スイッチ手段４４を操作して第一印字モード又は第二印字モードを選択する。ラベル挿入テーブル５５の所定位置にセットされたラベル４３は、自動的に搬送（センサ等でラベル４３のセットを検知し搬送を開始する）され、又は、オペレータのスタートスイッチ押下により搬送されて印字機構収納部５４内に挿入される。ラベル４３は、ラベル挿入口５６を介して挿入される。
【００３７】
第一印字モードが選択された場合において、印字機構収納部５４内にラベル４３が挿入されると、そのラベル４３の搬送方向先端側は、第一サーマルヘッド６３と第一プラテンローラー６６との間を通過する。搬送手段４７によるラベル４３の搬送が続けられると、イメージスキャナー４８の位置にラベル４３の手書き記入部がさしかかり、イメージスキャナー４８によるラベル４３の手書き記入部に対する読み込みが開始される。イメージスキャナー４８によるラベル４３の読み込みが開始されると、手書き記入部の手書き文字がデータ化される。その後、第一サーマルヘッド６３が作動すると、データ化された読み込みデータに基づいて、顧客控用ラベル紙７２の複写エリアに手書き文字の複写が開始される。ラベル４３の搬送方向先端が第二サーマルヘッド６５の位置にさしかかり、第二サーマルヘッド６５が作動すると、上記読み込みデータに基づいて、ラベル４３の裏面、すなわち業者控用ラベル紙７３と受取人控用ラベル紙７４の各複写エリアに手書き文字の複写が順に開始される。受取人控用ラベル紙７４の複写エリアに対する複写が完了すると、ラベル４３はラベル取り出し口５７から取り出され、第一印字モードにおける印字が完了する。尚、ラベル４３の搬送方向先端の位置は図示しないセンサで検知されるものとする。
【００３８】
第二印字モードが選択された場合において、印字機構収納部５４内にラベル４３が挿入されると、そのラベル４３の搬送方向先端側は、第一サーマルヘッド６３と第一プラテンローラー６６との間を通過する。搬送手段４７によるラベル４３の搬送が続けられると、ラベル４３の手書き記入部用ラベル紙７１が第一サーマルヘッド６３の位置にさしかかり、第一サーマルヘッド６３が作動する。この時、既に主制御部６４には、例えばＩｒＤＡ受光部６２を介して印字用のデータが取り込まれており、第一サーマルヘッド６３が作動すると、上記印字用のデータに基づいて、手書き記入部用ラベル紙７１及び顧客控用ラベル紙７２の各印字エリアに印字が開始される。ラベル４３の搬送方向先端が第二サーマルヘッド６５の位置にさしかかり、第二サーマルヘッド６５が作動すると、上記印字用のデータに基づいて、ラベル４３の裏面、すなわち業者控用ラベル紙７３と受取人控用ラベル紙７４の各印字エリアに印字が順に開始される。受取人控用ラベル紙７４の印字エリアに対する印字が完了すると、ラベル４３はラベル取り出し口５７から取り出され、第二印字モードにおける印字が完了する。
【００３９】
尚、ラベル取り出し口５７から取り出されたラベル４３は、図１０の構成の場合、配送用の伝票であることから、手書き記入部用ラベル紙７１及び顧客控用ラベル紙７２を台紙７０から剥がすと、手書き記入部用ラベル紙７１が宅配取り扱い店舗の控え、顧客控用ラベル紙７２が顧客の控えになる。そして、手書き記入部用ラベル紙７１及び顧客控用ラベル紙７２を剥がした側の台紙７０を図１１に示されるように荷物７５に張り付けると、その荷物７５の配送が可能な状態になる。荷物７５が受取人側に届くと、宅配業者は図１２に示されるように業者控用ラベル紙７３を剥がし、これにより荷物７５の配送が完了する。受取人は、受取人控用ラベル紙７４を剥がし、これを受取人の控えとする。
【００４０】
以上、図１ないし図１２を参照しながら説明してきたように、本発明の熱発色式両面印字装置４１は、ラベル４３における手書き記入部用ラベル紙７１の手書き記入部の内容をイメージスキャナー４８により読み込んで、顧客控用ラベル紙７２、業者控用ラベル紙７３、及び受取人控用ラベル紙７４の各複写エリアに複写をすることができるとともに、装置本体に入力された入力データに基づいてラベル４３の各印字エリアに印字をすることができる装置であることから、従来よりも印字媒体の用途を格段に広げることができるという利点を有している。また、本発明の熱発色式両面印字装置４１は、上記の装置構造からも分かるように、効率よく複写をすることができるという利点を有している。さらに、本発明の熱発色式両面印字装置４１は、データ出力手段５３を備えていることから、従来よりも付加価値のある装置にすることができるという利点を有している。
【００４１】
その他、本発明は本発明の主旨を変えない範囲で種々変更実施可能なことは勿論である。すなわち、上述の熱発色式両面印字装置４１は、第一印字モードと第二印字モードの二つのモードを有する構成であったが、これに限らず、第一印字モードの機能のみを有する構成でもよいものとする。この場合も上述の熱発色式両面印字装置４１と同様、印字媒体に例えば手書き部分の複写をすることが可能な従来にない新しい装置を提供することができる。
【図面の簡単な説明】
【００４２】
【図１】本発明による熱発色式両面印字装置の図であり、（ａ）は基本構成図（請求項１に対応）、（ｂ）は印字媒体の平面図（一方の面側）、（ｃ）は印字媒体の背面図（他方の面側）である。
【図２】本発明による熱発色式両面印字装置の図であり、（ａ）は基本構成図（請求項２に対応）、（ｂ）は印字媒体の平面図（一方の面側）、（ｃ）は印字媒体の背面図（他方の面側）である。
【図３】本発明による熱発色式両面印字装置の一実施の形態を示す外観斜視図である。
【図４】図３の熱発色式両面印字装置の側面図である。
【図５】図３の熱発色式両面印字装置の構成図である。
【図６】ＲＦ／ＩＤリーダーの配置説明図である。
【図７】ＩｒＤＡ受光部の配置説明図である。
【図８】ラベル挿入時の説明図である。
【図９】ラベル取り出し時の説明図である。
【図１０】印字媒体の一例となるラベルの構成図である。
【図１１】ラベルの使用例に係る説明図である。
【図１２】ラベルの使用例に係る説明図である。
【図１３】従来例の熱発色式両面印字装置の構成図である。
【符号の説明】
【００４３】
２１  印字媒体
２１ａ  一方の面
２１ａ−１  印字可能エリア
２１ｂ  他方の面
２１ｂ−１、２１ｂ−２  印字可能エリア
２２  複写対象
２３  スイッチ手段
２４  イメージスキャナー
２５  データ入力手段
２６  第一サーマルヘッド
２７  第二サーマルヘッド
２８  搬送手段
２９  情報
３０  リーダー
３１  データ出力手段
４１  熱発色式両面印字装置
４２  筐体
４３  ラベル（印字媒体）
４４  スイッチ手段
４５  第一印字機構
４６  第二印字機構
４７  搬送手段
４８  イメージスキャナー
４９  データ入力手段
５０  制御基板
５１  電源ユニット
５２  ＲＦ／ＩＤリーダー（リーダー）
５３  データ出力手段
５４  印字機構収納部
５５  ラベル挿入テーブル
５６  ラベル挿入口
５７  ラベル取り出し口
５８  駆動モータ
５９  ＤＣ電源プラグ
６０、６１  接続部
６２  ＩｒＤＡ受光部
６３  第一サーマルヘッド
６４  主制御部
６５  第二サーマルヘッド
６６  第一プラテンローラー
６７  第二プラテンローラー
６８  表示警報手段
６９  センサ
７０  台紙
７１  手書き記入部用ラベル紙
７２  顧客控用ラベル紙
７３  業者控用ラベル紙
７４  受取人控用ラベル紙
７５  荷物
【図１】
2005161666.tif 000003
【図２】
2005161666.tif 000004
【図３】
2005161666.tif 000005
【図４】
2005161666.tif 000006
【図５】
2005161666.tif 000007
【図６】
2005161666.tif 000008
【図７】
2005161666.tif 000009
【図８】
2005161666.tif 000010
【図９】
2005161666.tif 000011
【図１０】
2005161666.tif 000012
【図１１】
2005161666.tif 000013
【図１２】
2005161666.tif 000014
【図１３】
2005161666.tif 000015